(57)【要約】      （修正有）【課題】移動のために取り外したＬＡＮ用モジュラープラグＲＪ４５付ケーブルを持ち運ぶ場合、ＬＡＮ用モジュラープラグＲＪ４５の変形や傷付きを防止すると共に、紛失の可能性のないモジュラープラグＲＪ４５保護キャップを提供する。【解決手段】ＬＡＮ用モジュラープラグＲＪ４５先端にＬＡＮ用モジュラープラグＲＪ４５保護キャップ１を取付ける。またＬＡＮ用モジュラープラグＲＪ４５先端の抜け止め用つめ片１１を押し下げると、簡単に外れる構造となっている。ＬＡＮ用モジュラープラグＲＪ４５付ケーブル１２を機器等に接続した場合、ＲＪ４５モジュラープラグ保護キャップ１は不要となり、紛失することが考えられるが、ＬＡＮ用モジュラープラグＲＪ４５付ケーブル１２に紐状のストラップ５をひばり結びで取付け一体化することにより、紛失を防ぐことが出来る。【選択図】図３
2010161049.tif 000002
【特許請求の範囲】
【請求項１】
モジュラープラグＲＪ４５先端の保護のために被せるキャップであって、このキャップの横断部は、下方がコ字状（３１）、上方がアーチ形（２１）をなしており、コ字状（３１）の後方は箱体（３）であり、この箱体（３）の終端部分（４）は半筒状をなし、アーチ状（２１）の後方は、後ろに行くに従い、アーチの高さが低くなり、幅も狭くされている尻すぼまり状（４１）の半ドーム状笠体（２）になっていて、上記箱状（３）の天井部に設けられた開口部（６）つながっていることを特長とする、モジュラープラグＲＪ４５保護キャップ（１）。
【請求項２】
モジュラープラグＲＪ４５保護キャップ（１）の、箱体（３）の底面に紐状のストラップ（５）を取付けたことを特長とする請求項１記載のモジュラープラグＲＪ４５保護キャップ。
【発明の詳細な説明】
【技術分野】
【０００１】  この発明は、モジュラープラグＲＪ４５保護キャップに関する。さらに詳しくは、モジュラープラグＲＪ４５の保護のために用いる、モジュラープラグＲＪ４５保護キャップである。
【背景技術】
【０００２】  移動のために取り外したＬＡＮ用モジュラープラグＲＪ４５付ケーブルを持ち運ぶ場合、ＬＡＮ用モジュラープラグＲＪ４５がむき出しになり、変形や傷が付きやすく、使用できなくなることがあった。【０００３】  ＬＡＮ用モジュラープラグＲＪ４５付ケーブルを本来の目的で使用する際、モジュラープラグＲＪ４５保護キャップは不要となるため、紛失の可能性もあった。
【発明の開示】
【発明が解決しようとする課題】
【０００４】  取り外したＬＡＮ用モジュラープラグＲＪ４５付ケーブルを持ち運ぶ際にＬＡＮ用モジュラープラグＲＪ４５を傷つける恐れがあり、使用できなくなることがあった。【０００５】  ＬＡＮ用モジュラープラグＲＪ４５付ケーブルを機器等に接続した場合、モジュラープラグＲＪ４５保護キャップは不要となるため、紛失することが考えられた。【０００６】  そこで、この発明はＬＡＮ用モジュラープラグＲＪ４５先端にモジュラープラグＲＪ４５保護キャップを取付けつることによりＬＡＮ用モジュラープラグＲＪ４５を保護することが可能となる。またＬＡＮ用モジュラープラグＲＪ４５先端の抜け止め用つめ片と勘合し、容易に外れにくいが、ＬＡＮ用モジュラープラグＲＪ４５先端の抜け止め用つめ片を押し下げると、簡単に外れる構造となっている。【０００７】  ＬＡＮ用モジュラープラグＲＪ４５付ケーブルを機器等に接続した場合、モジュラープラグＲＪ４５保護キャップは不要となり、紛失することが考えられるが、両端モジュラープラグＲＪ４５ＬＡＮケーブルに、紐状のストラップを、ひばり結びで取付け一体化することにより、紛失を防ぐことが出来る。
【課題を解決するための手段】
【０００８】  モジュラープラグＲＪ４５先端の保護の為に被せるキャップであって、このキャップの横断部は、下方がコ字状（３１）、上方がアーチ形（２１）をなしており、コ字状（３１）の後方は箱体（３）であり、この箱体（３）の終端部分（４）は半筒状をなし、アーチ状（２１）の後方は、後ろに行くに従い、アーチの高さが低くなり、幅も狭くされている尻すぼまり状（４１）の半ドーム状笠体（２）になっていて、上記箱状（３）の天井部に設けられた開口部（６）つながっていることを特長とする、モジュラープラグＲＪ４５保護キャップ（１）。【０００９】  モジュラープラグＲＪ４５保護キャップ（１）の、箱体（３）の底面に紐状のストラップ（５）を取付けたことを特長とする請求項１記載のモジュラープラグＲＪ４５保護キャップ。
【発明の効果】
【００１０】  本発明のキャップの形状が、上記のようになされているのは、モジュラープラグＲＪ４５（１０）の抜け止め用つめ片（１１）と勘合し、挿抜しやすい形状となっている。【００１１】  請求項１記載のモジュラープラグＲＪ４５保護キャップ（１）は以上説明した形状となっているので、未使用時にモジュラープラグＲＪ４５（１０）を保護し、先端を傷つけることを防ぐことが出来るとともに、嵌めたときには、抜けにくく、且つ、脱着が容易である。【００１２】  請求項２記載のモジュラープラグＲＪ４５保護キャップ（１）は、備えた紐状ストラップ（５）を用いて、ＬＡＮ用モジュラープラグＲＪ４５付ケーブル（１２）と、ひばり結びで結び付けることにより、紛失を防ぐことが出来る。
【発明を実施するための最良の形態】
【実施例】
【００１３】  以下本発明の実施例につき、図を用いて説明する。モジュラープラグＲＪ４５保護キャップ（１）の開口部は、コ字状（３１）が幅１４ｍｍ、高さ８．６ｍｍ、箱体（３）の奥行き１５ｍｍ、半筒状の終端部分（４）の半円筒半径３．５ｍｍ、アーチ状（２）の笠体の高さ１４．４ｍｍ、幅１１．９４ｍｍ、奥行き４．５ｍｍで、後ろに行くと低く、高さ３．４０ｍｍ、幅６．７０ｍｍとし、箱体（３）の天井には、幅６．５ｍｍ、奥行き９ｍｍの開口部を設けている形状とした。【００１４】  図２は、本発明を上から見た説明図である。【００１５】  図３は、実施の一例を示す。モジュラープラグＲＪ４５保護キャップ（１）がＬＡＮ用モジュラープラグＲＪ４５（１０）と結合装着する様子を示している。モジュラープラグＲＪ４５保護キャップ（１）のアーチ状笠体（２）にモジュラープラグＲＪ４５（１０）の抜け止め用つめ片（１１）が挿入され、尻すぼまり状（４１）部分で固定され抜けにくくなる。モジュラープラグＲＪ４５（１０）の抜け止め用つめ片（１１）を上から押さえ、モジュラープラグＲＪ４５保護キャップ（１）を引くと容易に取り外すことが出来る。紐状のストラップ（５）がひばり結び（５１）でＬＡＮ用モジュラープラグＲＪ４５付ケーブル（１２）と結ばれており、紛失を防ぐ様子を表している。ひばり結び（５１）で結ぶことにより、ＬＡＮ用モジュラープラグＲＪ４５付ケーブル（１２）から外れにくく、且つ意図的に簡単に取り外すことが出来る。
【図面の簡単な説明】
【００１６】
【図１】  本発明の斜視図
【図２】  図１を上から見た説明図
【図３】  本発明のモジュラープラグＲＪ４５保護キャップを実際に装着する説明を示す説明図。
【符号の説明】    １    モジュラープラグＲＪ４５保護キャップ
２    半ドーム状笠体
３    箱体
４    終端部分
５    紐状のストラップ
６    天井部に設けられた開口部
１０    モジュラープラグＲＪ４５
１１    抜け止め用つめ片
１２    ＬＡＮ用モジュラープラグＲＪ４５付ケーブル
２１    アーチ形
３１    コ字状
４１    尻すぼまり状
５１    ひばり結び
【図１】
2010161049.tif 000003
【図２】
2010161049.tif 000004
【図３】
2010161049.tif 000005